(57)【特許請求の範囲】
【請求項１】
構造化文書を規則音声合成によって読み上げる文書読み上げ装置において、ガイド音声及び／又は音響データ記憶装置、及び、音声合成装置及び／又は音響信号発生装置を有し、前記構造化文書の文書構造の区切りを、ガイド用の音声で表現するようにしたことを特徴とする文書読み上げ装置。
【発明の詳細な説明】
【０００１】
【発明の属する技術分野】
本発明は、文書読み上げ装置、より詳細には、文書構造に沿って文書を読み上げる際に、テキスト文書中の包含関係や並列関係の構造が音声合成で読み上げさせた時に分かるように、各構造の部分またはその区切り部分にガイド用音声や音響を付加して、聞き手が文書中の話題の変化に追従して内容を理解できるようにしたものである。
【０００２】
【従来の技術】
通常、文書は視覚的なレイアウトを施すことによって、複数の部分に分離されている。そして、各部分の位置関係によって、包含関係や並列関係の構造が作られ、その関連の強さが表現されている。一方、現在のテキスト音声合成では、文書を単調に読み上げるだけで、せいぜい文字修飾によって音質を変えて読み上げたり、或いは、電子メール等で明示的に信号等で示された引用範囲に対して音質を変えて読み上げる程度であり、レイアウト的に表現されている文書間の関連情報を表現することはできていない。
【０００３】
【発明が解決しようとする課題】
本発明は、上述のごとき実情に鑑みてなされたもので、レイアウト情報により構造化された文書をテキスト音声合成で読み上げる際に、対象文書をその包含関係等に従って階層化して、聞き手が文書構造を認識することを助け、文書内容の理解を支援すること、更には、画面上に表示されない構造情報も利用して聞き手が内容の理解に役立つようにすることを目的としてなされたものである。
【０００４】
【課題を解決するための手段】
請求項１の発明は、構造化文書を規則音声合成によって読み上げる文書読み上げ装置において、ガイド音声及び／又は音響データ記憶装置、及び、音声合成装置及び／又は音響信号発生装置を有し、前記構造化文書の文書構造の区切りを、ガイド用の音声で表現するようにしたことを特徴としたものである。
【００１４】
【発明の実施の形態】
図１は、本発明が適用される文書読み上げ装置の一例を説明するための要部ブロック図で、図中、１は構造化文書データが入力されるデータ入力装置、２はデータ入力装置１より入力されたデータの構造を分析するデータ構造分析装置、３はデータ記憶装置、４は音声出力制御装置、５はガイド音声／音響データ記憶装置、６はユーザによって操作される入力装置、７は音声合成装置、８は音響信号発生装置、９はスピーカ，ブザー等の音を発声する出力装置で、本発明は、データ入力装置１より入力された構造化文書を、文書構造に沿って読み上げて、出力装置より音声出力する際に、入力装置よりの要求により、構造の区切りにガイド音や音響を入れ、構造文書の区切りを明確にしたものである。
【００１５】
上述のように、本発明は、文書構造に沿って文書を読み上げる際に、構造化文書の区切りを明確にして、聞き手が文書構造を認識し、文書内容をよく理解できるようにしたものであるが、文書構造を音響又は音声で伝える方法としては、例えば、文書構造の区切りを明確化する方法，項目間の関連性を表現する方法等がある。
【００１６】
文書構造の区切りを明確にする方法：
・構造の区切りに、音響を入れる。
「ピー」とか「ブー」などの音を連続または単発で一回ないし複数回入れる。
・無音部分を挿入する。
・各話題項目の隔たりの程度に応じた案内用の音声を入れる。
・項目全体の背景に音響信号を重ねる。
ある階層の項目に対して背景音を重ね合わせ、項目が変わると背景の音も変更することで読み上げ項目の変更を知る。
【００１７】
項目間の関連性を表現する方法：
・区切りの音響の変化であらわす。
関連性の程度で音響の長さを変える。例えば、関係の薄いものは、時間を長くする。
音響の回数を変化させる。短い音を複数回入れて、関係性が薄いと回数を多くする。
・音響の間隔を変える。例えば、一定回数の音を入れることにしておき、関係性が薄くなると間隔を長くする。
・音響の音程を変える。前後の関係性が低いと音も低くする。
・無音部分を入れる。前後の関係性の程度により無音時間を変える。
・以上の組み合わせ。
【００１８】
・ガイド用の音声で表現する。
本文を読んでいる音声と別の音質のものを用意しておき、話題が大きく変わった時にガイドする。例えば、「話は変わって」、や「次の話題です」などの語句を階層毎に決めておき、階層中の項目が変わった時に対応する語句を挿入する。
箇条書き項目で、項目番号が数字表記されていない場合や、複数の段落がある場合に、何番目とガイドする。
【００１９】
・ＢＧＭや音響によって大体の階層の深度を知る。
例えば、階層の深さによって音程や速度を変える。例えば、階層が深くなると、ＢＧＭや音響の速さを変える。同じＢＧＭなので読み上げの範囲は変わっていないが、詳細な項目に移動していく時に利用できる。
音響信号の音程を変える。
【００２０】
（実施例１）
図２は、本発明が適用される文書構造の一例（新聞記事の例）を示す図で、以下、音響信号の音程や長狭で異動方向をあらわす例を説明するが、以下において、（  ）内は音響、〈  〉内は信号の意味である。
政治（ ピ） 〈下位の階層へ移動〉
選挙活動 （ピ）〈下位の階層へ移動〉
自民党の活動 （プ） 民主党の活動 （プ）〈並列的な項目が並んでいる〉
社民党の活動 （プ） 共産党の活動（ ブー）〈上位の階層へ移動〉
政府の動き （ブー）〈上位の階層へ〉
経済 （ピ）〈下位の階層へ〉
円安の動向 （プ）〈同じ階層の項目が並ぶ〉
株価動向 （ブー）〈上位の階層へ〉
スポーツ
【００２１】
（実施例２）
図３は、本発明が適用される文書構造の他の例（タカタログの例）を示す図で、以下、音響の数で区切りや異動方向をあらわす例を説明する。
食料品（ピピ）〈下位の階層へ移動〉
清涼飲料（ピピ）〈下の階層へ〉
炭酸飲料（ピ）〈並列された項目が並ぶ〉
果汁飲料（ピピピピ）〈上位の階層へ〉
お菓子（ピピピピ）〈上位の階層へ〉
日用品（ピピ）〈下の階層へ移動〉
台所用品（ピ）
洗濯用品（ピ）
お風呂用品（ピピピピ）〈上位の階層へ〉
衣類（ピピ）〈下の階層へ移動〉
子供服（ピ）
婦人服（ピ）
紳士服（ピピピピ）
【００２２】
（実施例３）
図３に示したカタログの例を用いて、背景音楽（ＢＧＭ）の種類や音程で階層の移動をあらわす例を説明する。
食料品（ピピ）（同じ分野の間は同一の音楽が背景に流れる）
清涼飲料（背景音楽の音程が高くなる）〈下位の階層へ〉
炭酸飲料（ピ）〈並列された項目が並ぶ〉
果汁飲料（背景音楽の音程が低くなる）〈上位の階層へ〉
お菓子（背景音楽の音程が最初に戻る）〈上位の階層へ〉
日用品（ピピ）（背景音楽が別のものに変わる）
台所用品（背景音楽の音程が高くなる）〈下の階層へ移動〉
洗濯用品（ピ）
お風呂用品（背景音楽の音程が低くなる）〈上位の階層へ〉
衣類（ピピ）（背景音楽が別のものに変わる）
【００２３】
（実施例４）
図４は、本発明が適用される文書構造の他の例（雑誌の記事の例）を示す図で、以下、ガイド音声と音響を用いた例について説明するが、（  ）内はガイド用音声，音響である。
（最初の話題は）  政治
（最初の項目は）  各政党の公約
自民党の公約（ピピ）、民主党の公約（ピピ）、共産党の公約（ブー）
（２番目の項目は）  獲得議席予測
（話は変わって）
スポーツ情報
（最初の項目は）  ワールドカップ
（２番目の項目は）  プロ野球
○○連敗
（３番目の項目は）  相撲
（話は変わって）
芸能情報
【００２４】
【発明の効果】
以上の説明から明らかなように、本発明によると、構造化文書を文書構造に沿って読み上げる際に、文書構造の区切りを音響や音声によって明確にし、或いは、項目間の関係性を音響やガイド音声によって明確にすることができる。
【図面の簡単な説明】
【図１】  本発明が適用される文書読み上げ装置の一例を説明するための要部ブロック図である。
【図２】  本発明が適用される文書構造の一例（新聞記事の例）を示す図である。
【図３】  本発明が適用される文書構造の他の例（タカタログの例）を示す図である。
【図４】  本発明が適用される文書構造の他の例（雑誌の記事の例）を示す図である。
【符号の説明】
１…データ入力装置、２…データ構造分析装置、３…データ記憶装置、４…音声出力制御装置、５…ガイド音声／音響データ記憶装置、６…入力装置、７…音声合成装置、８…音響信号発生装置、９…出力装置。
【図１】
0003712325.tif 000002
【図２】
0003712325.tif 000003
【図３】
0003712325.tif 000004
【図４】
0003712325.tif 000005